(57)【特許請求の範囲】
【請求項１】
供給軸から送り出された磁気テープに対して、カーバチャを与えるカーバチャ付与工程と、
前記カーバチャ付与工程により磁気テープに付与されたカーバチャ量を検出するカーバチャ量検出工程と、
カーバチャ量検出工程を経た磁気テープを巻き取り軸で巻き取る工程とを含み、
前記カーバチャ量検出工程においては、エアー圧力センサによりカーバチャ量を検出しており、
前記エアー圧力センサは、磁気テープが摺動移動されるテープ摺動面と、該テープ摺動面を摺動移動する磁気テープに対してエアーを吹き付ける吹出口とを備える検出体を含むものであり、
前記カーバチャ量検出工程による検出結果に基づいて、前記カーバチャ付与工程において磁気テープに与えられるカーバチャ量を磁気テープに与えられる熱量制御によりフィードバック制御するようにしてあることを特徴とする磁気テープの巻き取り方法。
【請求項２】
供給軸から巻き取り軸に至るテープ走行系を有し、前記供給軸から送り出された磁気テープを前記巻き取り軸で巻き取る磁気テープの巻き取り装置であって、
前記テープ走行系の中途部には、磁気テープに対してカーバチャを与えるカーバチャ付与手段と、該カーバチャ付与手段よりもテープ走行系の下流側に配されて、該カーバチャ付与手段により磁気テープに付与されたカーバチャ量を検出するカーバチャ量検出手段とが設けられており、
前記カーバチャ量検出手段は、エアー圧力センサによりカーバチャ量を検出するものであり、
前記エアー圧力センサは、磁気テープが摺動移動されるテープ摺動面と、該テープ摺動面を摺動移動する磁気テープに対してエアーを吹き付ける吹出口とを備える検出体を含むものであり、
前記カーバチャ量検出手段による検出結果に基づいて、前記カーバチャ付与手段が磁気テープに与えるカーバチャ量を磁気テープに与えられる熱量制御によりフィードバック制御するようにしてあることを特徴とする磁気テープの巻き取り装置。  
【発明の詳細な説明】
【技術分野】
【０００１】
本発明は、磁気テープの巻き取り方法、および磁気テープの巻き取り装置に係り、整巻き性の向上を図る技術に関する。
【背景技術】
【０００２】
磁気テープを記録媒体とするテープカートリッジには、本体ケースの内部に左右一対のテープリールを備えるオーディオ用やビデオ用のテープカートリッジのほか、本体ケースの内部に一個のテープリールを備えるコンピュータデータバックアップ用の単リール型のテープカートリッジがある。これらのいずれの形態においても、磁気テープはテープリールに巻かれた状態で本体ケース内に組み付けられる。
【０００３】
かかる磁気テープの一般的な作成方法を詳述すると、そこではまず、非磁性支持体上に磁性層やバック層等を塗布し、或いは必要に応じて非磁性支持体と磁性層との間に非磁性層を塗布し、乾燥工程およびカレンダ工程等を経て、所謂ジャンボロールを製造する。次に、ジャンボロールから送り出された幅の広い磁気シートをスリッターにて所定の幅寸法に裁断し、この裁断した磁気テープが巻回されたパンケーキから所定の長さの磁気テープを切り出して、これをテープリールのリールハブに巻き付けている。
【０００４】
上述のように、パンケーキから所定長さの磁気テープをリールハブに巻き付けるには、専用の装置、即ち、磁気テープ巻き取り機（ワインダーという）が使用される。この時、テープをリールフランジの片側に寄せて巻き面が平らになるように巻く（整巻きする）ことが重要である。これは外観上の問題もさることながら、輸送時におけるテープのエッジ折れを防ぐうえで、および繰り返し走行時におけるエラーレートの発生を防ぐうえで非常に重要な作業である。
【０００５】
このため、従来よりリールに整巻きするためにさまざまな工夫がなされている。一般的な方法としては、（１）磁気テープを巻き込む部分にローラを当てながら巻回する手法であるタッチロール方式、（２）磁気テープを巻き込む部分にベルトを当てながら巻回する手法であるタッチベルト方式、（３）磁気テープを巻き込むリールハブの部分にエアを噴射させながら巻回する手法であるエアジエット方式、（４）巻き込む磁気テープを一定方向に磁化させて巻回する手法であるマグネット方式、（５）テーパ状のガイドローラによって巻き込む方向を一定方向に偏りさせながら巻回する手法であるテーパーガイドローラー方式などを挙げることができる。しかし、これらの方法は、いずれも巻き位置の制御方法としては充分ではなく、実際にはいくつかの方式を組み合わせることで磁気テープの巻き取り具合を制御している。
【０００６】
これとは別に、磁気テープの巻き取り時に、低張力下（張力0.０２〜0.４９Ｎ／cm）で該磁気テープの幅方向に温度差を付与し、温度の高い側に前記非磁性支持体のガラス転移温度（Ｔｇ）より高い温度を付与し、半永久的な熱収縮を生じさせることで収縮した側に偏らせて整巻きを行う磁気テープの巻き取り方法（本出願人による特許文献１参照）や、高張力下（張力0.９８〜4.９Ｎ／cm）で該磁気テープの幅方向に温度差を付与し、温度の高い側に前記非磁性支持体のガラス転移温度（Ｔｇ）より高い温度を付与し、半永久的な熱伸張を生じさせることで伸張した側の反対側に偏らせて整巻きを行う磁気テープの巻き取り方法（本出願による特許文献２参照）なども提案されている。
【０００７】
【特許文献１】特開２００４−１５８０７０号公報
【特許文献２】特開２００４−１５８０７１号公報
【発明の開示】
【発明が解決しようとする課題】
【０００８】
上記の（１）〜（５）に示した巻き取り方法は、強制的な化粧巻きの手法であるため、このようにして整巻きされたとしても、ドライブで走行させると、整巻き効果が失われやすく、１層の飛び出しや巻き乱れが発生することが避けられない。
【０００９】
特許文献１および２に記載の方法は磁気テープにカーバチャを付与する半永久的な整巻き手法である。しかし、前述したジャンボロールから所定の幅に裁断された磁気テープには、ジャンボロールの幅方向の位置や、長さ方向の位置により、カーバチャ量にはバラツキがあり、したがって一定条件にてカーバチャを付与しても最終的に整巻き性の優れた磁気テープを得ることはできず、その点に不利があった。なお、ここでいうカーバチャとは、磁気テープの湾曲の度合いを示すもので、水平で平らな平面上に、磁気テープを自然に平らに置き、テープエッジの両端を結ぶ基準線からテープエッジまでの最大距離をいう（磁気メディア技術マニュアルＮo.６「磁気メデイアの特性・性能」１９９３年３月  社団法人日本磁気メディア工業会刊  P.２３参照）。
【００１０】
本発明は、上記従来技術の課題を解決するためになされたものであり、磁気テープの全長に渡って好ましい範囲のカーバチャを付与することができ、したがって全長に渡って整巻き性に優れた磁気テープを得ることができる磁気テープの巻き取り装置、および磁気テープの巻き取り方法を提供することにある。
【課題を解決するための手段】
【００１１】
上記目的を達成するために、本発明者らは鋭意検討を重ねた結果、特許文献１および特許文献２の場合と同様の手法で磁気テープにカーバチャを付与したうえで、当該付与されたカーバチャ量をリアルタイムに検出し、当該検出結果に基づいて磁気テープに与えられるカーバチャ量をフィードバック制御するようにすれば、磁気テープの全長にわたって好適なカーバチャ量を的確に付与することができ、したがって整巻き性に優れた磁気テープを得ることができることを見出して本発明を完成するに至った。
【００１２】
すなわち本発明は、図１に示すごとく、供給軸２から送り出された磁気テープ１に対して、カーバチャを与えるカーバチャ付与工程と、前記カーバチャ付与工程により磁気テープ１に付与されたカーバチャ量を検出するカーバチャ量検出工程と、カーバチャ量検出工程を経た磁気テープを巻き取り軸３で巻き取る工程とを含み、前記カーバチャ量検出手段は、エアー圧力センサによりカーバチャ量を検出するものであり、前記エアー圧力センサは、磁気テープが摺動移動されるテープ摺動面と、該テープ摺動面を摺動移動する磁気テープに対してエアーを吹き付ける吹出口とを備える検出体を含むものであり、前記カーバチャ量検出工程による検出結果に基づいて、前記カーバチャ付与工程において磁気テープ１に与えられるカーバチャ量を磁気テープに与えられる熱量制御によりフィードバック制御するようにしてあることを特徴とする。
【００１３】
また本発明は、図１に示すごとく、供給軸２から巻き取り軸３に至るテープ走行系を有し、供給軸２から送り出された磁気テープ１を巻き取り軸３で巻き取る磁気テープの巻き取り装置を対象とする。テープ走行系の中途部には、磁気テープ１に対してカーバチャを与えるカーバチャ付与手段６と、該カーバチャ付与手段６よりもテープ走行系の下流側に配されて、該カーバチャ付与手段６により磁気テープ１に付与されたカーバチャ量を検出するカーバチャ量検出手段９とが設けられている。そして、前記カーバチャ量検出手段は、エアー圧力センサによりカーバチャ量を検出するものであり、前記エアー圧力センサは、磁気テープが摺動移動されるテープ摺動面と、該テープ摺動面を摺動移動する磁気テープに対してエアーを吹き付ける吹出口とを備える検出体を含むものであり、カーバチャ量検出手段９による検出結果に基づいて、前記カーバチャ付与手段６が磁気テープ１に与えるカーバチャ量を磁気テープに与えられる熱量制御によりフィードバック制御するようにしてあることを特徴とする。  
【発明の効果】
【００１４】
本発明に係る磁気テープの巻き取り方法においては、磁気テープ１にカーバチャを付与したうえで、当該付与されたカーバチャ量をリアルタイムに検出し、この検出結果に基づいて磁気テープ１に与えられるカーバチャ量をフィードバック制御するようにした。したがって、元のジャンボロールの幅方向の位置や長さ方向の位置などにより、本発明方法による処理以前に磁気テープ１に癖付けられているカーバチャ量にバラツキがあり、その結果、本発明に係るカーバチャ付与工程において磁気テープ１に付与されるカーバチャ量が所定値から外れたような場合でも、ただちにこれを検知・フィードバックして、カーバチャ付与工程において付与されるカーバチャ量を適正量に修正することができる。これにより、磁気テープ１の全長にわたって好適なカーバチャ量を的確に付与することが可能となり、整巻き性に優れた磁気テープ１を得ることができる。
【００１５】
同様に本発明に係る磁気テープの巻き取り装置においては、磁気テープ１の巻き取りに先だってカーバチャ付与手段６により磁気テープ１にカーバチャを付与し、さらにカーバチャ量検出手段９により付与されたカーバチャ量をリアルタイムに検出し、その検出結果に基づいて、カーバチャ付与手段６により与えられるカーバチャ量をフィードバック制御するようにした。したがって、元のジャンボロールの幅方向の位置や長さ方向の位置などにより、本発明装置による処理以前に磁気テープ１に癖付けられているカーバチャ量にバラツキがあり、その結果、本発明に係るカーバチャ付与手段６によって磁気テープ１に付与されるカーバチャ量が所定値から外れたような場合でも、ただちにこれをカーバチャ量検出手段９で検知し、カーバチャ付与手段６にフィードバックして、当該カーバチャ付与手段６により付与されるカーバチャ量を適正量に修正することができる。これにより、磁気テープ１の全長にわたって好適なカーバチャ量を的確に付与することが可能となり、整巻き性に優れた磁気テープ１を得ることができる。
【００１６】
本発明において、最終的に磁気テープ１に付与されるカーバチャ量は、0.５mm以上、2.５mm以下であることが好ましい。これは当該数値範囲内であれば、カートリッジのテープリールに巻き取ったとき、整巻き効果が良好に発現されることに拠る。カーバチャ量が0.５mmを下回ると良好な整巻き効果が得られない。カーバチャ量が2.５mmを越えると、カートリッジリールへの当たりが強くなり過ぎてエッジが損傷しやすくなり、整巻き性の低下やエラーレートの悪化を招く。以上より、本発明者等の知見によれば、磁気テープのカーバチャ量は0.５〜2.５mmが好ましく、0.８〜2.０mmがより好ましく、1.０〜1.５mmが最も好ましい。
【００１７】
以上のように、本発明に係る巻き取り方法や巻き取り装置を用いれば、一定のカーバチャ量で、磁気テープをテープリールに巻き取ることが可能となる。しかし、巻き取り後の温度条件等によっては、カーバチャ量が変化する場合があり、当該変化を予見して、これを防止するような磁気テープの巻き取り方法も可能である。すなわち、高温条件下で磁気テープを保存した場合や、長時間保存した場合には、巻きの中心部、中央部、外周部でカーバチャ量が変化する場合がある（通常は、巻きの外周部になるほど、保存後のカーバチャ量が当初のカーバチャ量より減少する傾向がある）。かかるカーバチャ量の不用意な変化は、巻き長さや保存条件にあわせて、カーバチャ付与手段６による与えられるカーバチャ量を、巻き始めは小さく、巻き終わりは大きくなるように設定するなどの措置を取ることで対応できる。このような巻き取り方法も本発明方法に含まれる概念であり、要は最終的なカーバチャ量を一定にすることができればよいのである。
【発明を実施するための最良の形態】
【００１８】
図１に本発明に係る磁気テープの巻き取り装置の概略構成図を示す。図１において、この装置は、所定量の磁気テープ１が巻かれた供給軸２と、供給軸２から送り出された磁気テープ１を巻き取る巻き取り軸３とを備える。供給軸２から送り出された磁気テープ１は、回転ローラ５や不図示の駆動機構を含む磁気テープ走行系により、所定の速度、テンションで供給軸２から搬送されたのち、巻き取り軸３に巻き取られる。
【００１９】
かかる磁気テープ走行系の中途部には、上流側から順に、磁気テープ１を加熱してカーバチャを付与するハロゲン光源（カーバチャ付与手段）６、ハロゲン光源６によって加熱された磁気テープ１を冷却する冷却ドラム７、磁気テープ１に付与されたカーバチャ量を検出するエアー圧力センサ（カーバチャ量検出手段）９などが配設されている。ハロゲン光源６は、所定の条件で磁気テープ１のエッジの片側を加熱してカーバチャを付与するものであり、光源制御回路１０により制御される。冷却ドラム７の表面は、該ドラム７の内部に組み込まれたペルチェ素子により冷却される。
【００２０】
図２に示すごとくエアー圧力センサ９は、湾曲状のテープ摺動面１１を有する検出体１２と、検出体１２の上流および下流に配されて、テープ摺動面１１に磁気テープ１を押し付けて走行させる一対のガイドローラ（ガイド手段）１３・１３とからなる。検出体１２は、半円盤状の金属製のブロック体であり、テープ摺動面１１に対向する磁気テープ１の片側面（図示例では上面（図２参照））に向かってエアーを噴射する吹出口１５に連通する送出通路１６と、テープ摺動面１１と磁気テープ１との間を流れたエアーを受け入れる流入口１７に連通する流入通路１９とを有する。図４に示すごとく、吹出口１５は、磁気テープ１の幅方向に向かって長く形成された長孔であり、送出通路１６から送られてきたエアーを磁気テープ１の幅方向の全体にわたって吹き付ける。図３に示すごとく、流入口１７は、磁気テープ１の幅方向に列設されており、これらはテープ摺動面１１の吹出口１５よりも下流側に配置されている。図２および図３に示すごとく、各流入通路１９の上端には、流入口１７から流れ込んだエアーの圧力を検出するためのセンサ２０が装着されている。なお、図３および図４において、符号２１は、磁気テープ摺動面１１の幅方向の両端部に張り出し形成されて磁気テープ１のエッジ部を受け止める、位置ズレ防止用のフランジを示す。
【００２１】
以上のような構成からなるエアー圧力センサ９によれば、カーバチャを持った磁気テープ１が磁気テープ摺動面１１を通過するとき、図３に示すごとく、カーバチャが凸になる側のテープのサイドが少し浮き上がり気味になるので、このサイドのセンサ２０により検出されるエアー圧力は反対側のエアー圧力より小さく検出される。そして、かかるエアー圧力の減退量から磁気テープ１に付与されたカーバチャ量を検出することができる。
【００２２】
センサ２０によって検出されたエアー圧力の検出結果は、カーバチャ量検出演算回路２２に送られ、磁気テープ１のカーバチャ量に変換される。さらに、この回路２２により検出されたカーバチャ量は、予め当該回路２２のメモリ（不図示）内に格納されている設定値と比較され、検出されたカーバチャ量が設定値よりも大きい場合には、ハロゲン光源６の出力を低減する旨の制御信号が光源制御回路１０に向かって送信される。逆に検出されたカーバチャ量が設定値よりも小さい場合には、ハロゲン光源６の出力を増加する旨の制御信号が光源制御回路１０に向かって送信される。光源制御回路１０は、かかる制御信号に基づいて、ハロゲン光源６の出力を制御して、磁気テープ１に付与されるカーバチャ量を大小に調整する。
【００２３】
この巻き取り装置では、図外のテンションコントロール装置により、ハロゲン光源６と冷却ドラム７を含むテープ走行系に付与されるテンションを任意の大きさにコントロールすることができるようになっている。巻き取り軸３に磁気テープ１を巻き取る際のテンションを、任意の大きさに設定することもできる。
【００２４】
以上のような構成からなる本実施形態に係る磁気テープの巻き取り装置によれば、磁気テープ１の巻き取りに先だってハロゲン光源６により磁気テープ１にカーバチャを付与し、さらにエアー圧力センサ９によりカーバチャ量をリアルタイムに検出し、その検出結果に基づいて、ハロゲン光源６の出力を大小に調整して、磁気テープ１に与えられるカーバチャ量をフィードバック制御するようにした。したがって、元のジャンボロールの幅方向の位置や長さ方向の位置などの違いにより、予め磁気テープ１に癖付けられているカーバチャ量にバラツキがあり、その結果、ハロゲン光源６によって磁気テープ１に付与されるカーバチャ量が所定値から外れたような場合でも、ただちにこれをエアー圧力センサ９で検知し、光源制御回路１０にフィードバックして、ハロゲン光源６により付与されるカーバチャ量を適正量に修正することができる。これにより、磁気テープ１の全長にわたって好適なカーバチャ量を的確に付与することが可能となり、整巻き性に優れた磁気テープ１を得ることができる。
【００２５】
このように、巻き取り装置を用いれば一定カーバチャ量で磁気テープ１を巻き取り軸３に巻き取ることが可能になるが、巻き取り軸３に巻き取った後、高温下や、長時間保存した場合には巻きの中心部、中央部、外周部でカーバチャ量が変化する場合がある。通常、巻きの外周部になるほど、保存後のカーバチャ量が当初のカーバチャ量より減少する傾向がある。このような場合には、巻き長さ、保存条件にあわせて、巻き取り軸の巻き取りテンションを、巻き始めは強く、巻き終わりを弱く設定したり、カーバチャ付与量を、はじめは小さく、終わりを大きく設定するなど、適宜設定を最適化して、最終的なカーバチャ量を一定にするのが好ましい。
【００２６】
巻き取り軸３は、テープカートリッジのテープリールとすることができる。換言すれば、この巻き取り装置および巻き取り方法は、最終的に磁気テープ１をテープリールに巻き取る際の装置、方法として好適に適用できる。これによれば、ジャンボロール形態で巻き取る場合に不可避となる、巻き取り後にカーバチャ量が変化する不具合を最小限に抑えることができるので、テープリールに巻き取られる磁気テープ１に適切なカーバチャを与えて、整巻き性に優れた磁気テープ１を得ることができる。つまり、カーバチャ量のコントロールが容易で、確実に磁気テープ１に一定量のカーバチャを付与することができるので、整巻き性に優れた磁気テープ１を得ることができる。
【００２７】
カーバチャ付与手段としては、ハロゲン光源６の他にレーザ光、各種ヒータを接触させるなど、従来公知の方法を用いることが出来る。カーバチャ付与量の制御方法としては、各種熱源の出力の制御の他、熱源と磁気テープとの距離、熱源と磁気テープとの接触圧力など、磁気テープに与えられる熱量を制御する方法であれば、特に制限されるものではなく、公知の方法が用いられる。加熱条件およびテンションの好ましい範囲については、特許文献１および特許文献２に記載の条件で行うことがこのましい。また、カーバチャ付与手段としては前述の加熱以外の手段、例えば、走行経路上に走行面に対して斜めのガイドローラを配設し、機械的に磁気テープの片エッジを伸ばしカーバチャを付与する方法などを用いてもよい。
【００２８】
冷却手段としては、磁気テープ３と接触してあるいは非接触で冷却できるものであれば、特に制限されるものではなく、前記の冷却ドラム７の他に冷却板や冷風等を用いることができる。カーバチャ量検出手段としては、特に制限されるものではなく、前記のエアー圧力センサ９の他に、ガイドローラの規制フランジの接触圧を測定したり、ガイドロール上のテープエッジの走行位置を位置センサで検出するなどの、従来公知の方法を用いることができる。
【図面の簡単な説明】
【００２９】
【図１】本発明に係る磁気テープの巻き取り方法、磁気テープの巻き取り装置を示す概略構成図である。
【図２】エアー圧力センサの縦断正面図である。
【図３】図２のＡ−Ａ線断面図である。
【図４】エアー圧力センサの平面図である。
【符号の説明】
【００３０】
１  磁気テープ
２  供給軸
３  巻き取り軸
６  カーバチャ付与手段（ハロゲン光源）
９  カーバチャ量検出手段（エアー圧力センサ）
【図１】
0004726053.tif 000002
【図２】
0004726053.tif 000003
【図３】
0004726053.tif 000004
【図４】
0004726053.tif 000005